(57)【要約】  通信システムにおいて資源の割当てをシグナリングするいくつかの技法が記載される。記載される好ましい方法は、ユーザデバイスに対するサブキャリアの割当てとして、開始ブロックを規定するデータと、該開始ブロックからの連続ブロックの数を規定するデータとを含む割当てを受信するステップ、第１のマッピングデータに従って、開始ブロックからの連続ブロックの数を規定するデータを第１のマッピング値にマッピングする第１のマッピングステップ、第２のマッピングデータに従って、開始ブロックを規定するデータ及び上記第１のマッピング値を、割当てを表す第２のマッピング値にマッピングする第２のマッピングステップ、並びに上記第２のマッピング値を資源割当てデータとしてユーザデバイスにシグナリングするステップを含む。
2010535434.tif 000002
【特許請求の範囲】
【請求項１】
ブロックシーケンスに配列される複数のサブキャリアを用いる通信システムにおいて資源割当てデータをシグナリングする方法であって、該方法は、
ユーザデバイスに対する前記サブキャリアの割当てとして、該割当ては、開始ブロックを規定するデータと、該開始ブロックからの連続ブロックの数を規定するデータとを含む割当てを受信し、
第１のマッピングデータに従って、前記開始ブロックからの前記連続ブロックの数を規定する前記データを、第１のマッピング値にマッピングする第１のマッピングステップ、
第２のマッピングデータに従って、前記開始ブロックを規定する前記データ及び前記第１のマッピング値を、前記割当てを表す第２のマッピング値にマッピングする第２のマッピングステップ、及び
前記第２のマッピング値を資源割当てデータとして前記ユーザデバイスにシグナリングすることを含む、方法。
【請求項２】
割り当て可能な前記連続ブロックの数は、割り当て可能な全連続ブロックの数の部分集合から選択される、請求項１に記載の方法。
【請求項３】
前記割り当て可能な連続ブロックの数は、
Ｐ＝２ｉ．３ｊ．５ｋ
（ただし、ｉ、ｊ及びｋは０以上の整数値であり、Ｐは前記ブロックシーケンス内のブロックの総数Ｎ以下である）
によって規定される前記部分集合から選択される請求項２に記載の方法。
【請求項４】
前記第１のマッピングデータは、前記第１のマッピング値が前記ユーザデバイスに割り当てられる前記連続ブロックの数以下であるようなマッピングを規定する、請求項１〜３のいずれか一項に記載の方法。
【請求項５】
前記第１のマッピングは、前記連続ブロックの割り当てられた数と前記第１のマッピング値との間の一対一マッピングを規定する、請求項４に記載の方法。
【請求項６】
前記第１のマッピングデータはルックアップテーブルを規定し、前記第１のマッピングステップは、前記連続ブロックの数を規定する前記データを用いて、該ルックアップテーブルをアドレス指定し、前記第１のマッピング値を求める、請求項１〜５のいずれか一項に記載の方法。
【請求項７】
前記第２のマッピングデータは１つ又は複数の式を規定する、請求項１〜６のいずれか一項に記載の方法。
【請求項８】
前記第２のマッピングデータは、以下の式を規定している請求項７記載の方法。
ｘ＝Ｍ＊ｉｎｄｅｘＰ＋Ｏ
（ただし、ｘは前記第２のマッピング値であり、Ｍは、システム帯域幅、各ブロック内のサブキャリアの数、及び隣接するサブキャリア間の周波数間隔に依存するシステム定数であり、ｉｎｄｅｘＰは前記第１のマッピング値であり、Ｏは前記開始ブロックの番号である）
【請求項９】
Ｍは５ＭＨｚのシステム帯域幅の場合に２５に等しく、１０ＭＨｚのシステム帯域幅の場合に５０に等しく、１５ＭＨｚのシステム帯域幅の場合に７５に等しく、２０ＭＨｚのシステム帯域幅の場合に１００に等しい、請求項８に記載の方法。
【請求項１０】
前記第２のマッピングデータは以下の式を規定している請求項７記載の方法。
ｘ＝Ｌ＊Ｏ＋ｉｎｄｅｘＰ
（ただし、ｘは前記第２のマッピング値であり、Ｌは、システム帯域幅、各ブロック内のサブキャリアの数、及び隣接するサブキャリア間の周波数間隔に依存するシステム定数であり、ｉｎｄｅｘＰは前記第１のマッピング値であり、Ｏは前記開始ブロックの番号である）
【請求項１１】
Ｌは５ＭＨｚのシステム帯域幅の場合に１６に等しく、１０ＭＨｚのシステム帯域幅の場合に２４に等しく、１５ＭＨｚのシステム帯域幅の場合に２９に等しく、２０ＭＨｚのシステム帯域幅の場合に３４に等しい、請求項１０に記載の方法。
【請求項１２】
前記第２のマッピングデータは、前記開始ブロックを規定する前記データ及び前記第１のマッピング値の組み合わせによってアドレス指定されるルックアップテーブルを規定する、請求項１〜６のいずれか一項に記載の方法。
【請求項１３】
前記シグナリングするステップは、前記ユーザデバイスに共通のシグナリングチャネルにおいて、前記第２のマッピング値をシグナリングする、請求項１〜１２のいずれか一項に記載の方法。
【請求項１４】
ブロックシーケンスに配列される複数のサブキャリアを用いる通信システムにおいて資源割当てを確定する方法であって、該方法は、
開始ブロック及び該開始ブロックからの連続ブロックの数を符号化する資源割当てデータを受信し、
第１のマッピングデータを用いて、前記受信した割当てデータを前記シーケンス内の前記開始ブロックにマッピングする第１のマッピングステップ、
第２のマッピングデータを用いて、前記受信した割当てデータを前記開始ブロックからの前記連続ブロックの数を符号化した値にマッピングする第２のマッピングステップ、
第３のマッピングデータを用いて、前記連続ブロックの数を符号化した値を、前記開始ブロックからの前記連続ブロックの数にマッピングする第３のマッピングステップ、及び
前記開始ブロック及び該開始ブロックからの前記連続ブロックの数を用いて、割り当てられるサブキャリアを確定することを含む、方法。
【請求項１５】
割り当て可能な前記連続ブロックの数は、割り当て可能な全連続ブロックの数の部分集合のうちの１つである、請求項１４に記載の方法。
【請求項１６】
前記割り当て可能な連続ブロックの数は、
Ｐ＝２ｉ．３ｊ．５ｋ
によって規定される前記部分集合から選択される請求項１５に記載の方法。（ただし、ｉ、ｊ及びｋは０以上の整数値であり、Ｐは前記ブロックシーケンス内のブロックの総数Ｎ以下である）
【請求項１７】
前記第３のマッピングデータは、前記連続ブロックの数が前記数を符号化する前記値よりも大きいようなマッピングを規定する、請求項１４〜１６のいずれか一項に記載の方法。
【請求項１８】
前記第３のマッピングは、前記連続ブロックの割り当てられた数と前記数を符号化する前記値との間の一対一マッピングを規定する、請求項１７に記載の方法。
【請求項１９】
前記第３のマッピングデータはルックアップテーブルを規定し、前記第３のマッピングステップは、前記連続ブロックの数を符号化した値を用いて、該ルックアップテーブルをアドレス指定する、請求項１４〜１８のいずれか一項に記載の方法。
【請求項２０】
前記第１のマッピングデータは１つ又は複数の式を規定する、請求項１４〜１９のいずれか一項に記載の方法。
【請求項２１】
前記第１のマッピングステップは、以下の式によって、前記受信した割当てデータから、前記開始ブロックＯを求める請求項２０に記載の方法。
Ｏ＝ｘ−ｆｌｏｏｒ（ｘ／Ｍ）・Ｍ
（ただし、ｘは前記受信した資源割当てデータであり、Ｍは、システム帯域幅、各ブロック内のサブキャリアの数、及び隣接するサブキャリア間の周波数間隔に依存するシステム定数であり、ｆｌｏｏｒ（）はフロア関数である）
【請求項２２】
前記第２のマッピングデータは１つ又は複数の式を規定する、請求項２０又は２１に記載の方法。
【請求項２３】
前記第２のマッピングステップは、以下の式によって、前記受信した割当てデータから、前記連続ブロックの数を符号化する前記値、ｉｎｄｅｘＰを求める請求項２２に記載の方法。
ｉｎｄｅｘＰ＝ｆｌｏｏｒ（ｘ／Ｍ）
（ただし、ｘは前記受信した資源割当てデータであり、Ｍは、システム帯域幅、各ブロック内のサブキャリアの数、及び隣接するサブキャリア間の周波数間隔に依存するシステム定数であり、ｆｌｏｏｒ（）はフロア関数である）
【請求項２４】
前記第１のマッピングステップは、以下の式によって、前記受信した割当てデータから、前記開始ブロックＯを求める請求項２０に記載の方法。
Ｏ＝ｆｌｏｏｒ（ｘ／Ｌ）
（ただし、ｘは前記受信した資源割当てデータであり、Ｌは、システム帯域幅、各ブロック内のサブキャリアの数、及び隣接するサブキャリア間の周波数間隔に依存するシステム定数であり、ｆｌｏｏｒ（）はフロア関数である）
【請求項２５】
前記第２のマッピングデータは１つ又は複数の式を規定する、請求項２０又は２４のいずれか一項に記載の方法。
【請求項２６】
前記第２のマッピングステップは、以下の式によって、前記受信した割当てデータから、前記連続ブロックの数を符号化する前記値、ｉｎｄｅｘＰを求める請求項２５に記載の方法。
ｉｎｄｅｘＰ＝ｘ−ｆｌｏｏｒ（ｘ／Ｌ）・Ｌ
（ただし、ｘは前記受信した資源割当てデータであり、Ｌは、システム帯域幅、各ブロック内のサブキャリアの数、及び隣接するサブキャリア間の周波数間隔に依存するシステム定数であり、ｆｌｏｏｒ（）はフロア関数である）
【請求項２７】
前記第１のマッピングデータ及び前記第２のマッピングデータのいずれか又は双方がルックアップテーブルを規定する、請求項１４〜１９のいずれか一項に記載の方法。
【請求項２８】
前記受信するステップは、前記通信システムに共通であるシグナリングチャネルにおいて前記割当てデータを受信する、請求項１４〜２７のいずれか一項に記載の方法。
【請求項２９】
ブロックシーケンスに配列される複数のサブキャリアを用いる通信システムにおいて、資源割当てデータをシグナリングする通信ノードであって、該通信ノードは、
ユーザデバイスに対する前記サブキャリアの割当てとして、開始ブロックを規定するデータと、該開始ブロックからの連続ブロックの数を規定するデータとを含む割当てを受信する手段と、
第１のマッピングデータに従って、前記開始ブロックからの前記連続ブロックの数を規定する前記データの、第１のマッピング値へのマッピングを実行する手段と、
第２のマッピングデータに従って、前記開始ブロックを規定する前記データ及び前記第１のマッピング値の、前記割当てを表す第２のマッピング値へのマッピングを実行する手段と、
前記第２のマッピング値を資源割当てデータとして前記ユーザデバイスにシグナリングする手段とを備える、通信ノード。
【請求項３０】
ブロックシーケンスに配列される複数のサブキャリアを用いる通信システムにおいて、資源割当てデータをシグナリングする通信ノードであって、該通信ノードは、資源割当てモジュールであり、当該資源割当てモジュールは、
ユーザデバイスに対する前記サブキャリアの割当てとして、開始ブロックを規定するデータと、該開始ブロックからの連続ブロックの数を規定するデータとを含む割当てを受信し、
第１のマッピングデータに従って、前記開始ブロックからの前記連続ブロックの数を規定する前記データの、第１のマッピング値へのマッピングを実行し、
第２のマッピングデータに従って、前記開始ブロックを規定する前記データ及び前記第１のマッピング値の、前記割当てを表す第２のマッピング値へのマッピングを実行すると共に、
前記第２のマッピング値を資源割当てデータとして前記ユーザデバイスにシグナリングするように動作する、通信ノード。
【請求項３１】
ブロックシーケンスに配列される複数のサブキャリアを用いる通信システム内での通信に用いるための資源割当てを確定するように動作することができるユーザデバイスであって、該ユーザデバイスは、
開始ブロック、及び該開始ブロックからの連続ブロックの数を符号化する資源割当てデータを受信する手段と、
第１のマッピングデータを用いて、前記受信した割当てデータを前記シーケンス内の前記開始ブロックにマッピングする手段と、
第２のマッピングデータを用いて、前記受信した割当てデータを前記開始ブロックからの前記連続ブロックの数を符号化した値にマッピングする手段と、
第３のマッピングデータを用いて、前記連続ブロックの数を符号化した値を、前記開始ブロックからの前記連続ブロックの数にマッピングする手段と、
前記開始ブロック、及び該開始ブロックからの前記連続ブロックの数を用いて、割り当てられるサブキャリアを確定する手段とを備える、ユーザデバイス。
【請求項３２】
ブロックシーケンスに配列される複数のサブキャリアを用いる通信システム内での通信に用いるための資源割当てを確定するように動作することができるユーザデバイスであって、該ユーザデバイスは、通信モジュールであって、
開始ブロック、及び該開始ブロックからの連続ブロックの数を符号化した資源割当てデータを受信し、
第１のマッピングデータを用いて、前記受信した割当てデータの、前記シーケンス内の前記開始ブロックへのマッピングを実行し、
第２のマッピングデータを用いて、前記受信した割当てデータの、前記開始ブロックからの前記連続ブロックの数を符号化した値へのマッピングを実行し、
第３のマッピングデータを用いて、前記連続ブロックの数を符号化した値の、前記開始ブロックからの前記連続ブロックの数へのマッピングを実行すると共に、
前記開始ブロック、及び該開始ブロックからの前記連続ブロックの数を用いて、割り当てられるサブキャリアを確定するように動作することができる通信モジュールを備える、ユーザデバイス。
【請求項３３】
ブロックシーケンスに配列される複数のサブキャリアを用いる通信システムにおいて、資源割当てデータをシグナリングする方法であって、該方法は、
ユーザデバイスに対する前記サブキャリアの割当てとして、開始ブロックを規定するデータと、該開始ブロックからの連続ブロックの数を規定するデータとを含む割当てを受信し、
所定のマッピングデータに従って、前記開始ブロックからの前記連続ブロックの数を規定するデータをマッピング値にマッピングすると共に、
前記開始ブロックを規定する前記データ及び前記マッピング値に応じて、資源割当てデータを前記ユーザデバイスにシグナリングすることを含む、方法。
【請求項３４】
ブロックシーケンスに配列される複数のサブキャリアを用いる通信システムにおいて資源割当てを確定する方法であって、該方法は、
所定のマッピングを通じて、開始ブロック、及び該開始ブロックからの連続ブロックの数に関連する値を規定する資源割当てデータを受信し、
所定のマッピングデータを用いて、前記値を前記連続ブロックの数にマッピングすると共に、
前記開始ブロック及び前記連続ブロックの数を用いて、割り当てられるサブキャリアを確定することを含む、方法。
【請求項３５】
プログラム可能なコンピュータデバイスに、請求項１〜１３又は３３のいずれか一項に記載のシグナリング方法を実行させるためのコンピュータ実施可能命令。
【請求項３６】
プログラム可能なコンピュータデバイスに、請求項１４〜２８又は３４のいずれか一項に記載の資源割当てを確定する方法を実行させるためのコンピュータ実施可能命令。
【請求項３７】
コンピュータ読取り可能媒体上に記録されるときの請求項３５又は３６に記載のコンピュータ実施可能命令。
【発明の詳細な説明】
【技術分野】
【０００１】
本発明は通信システム内の資源割当てシグナリングに関する。本発明は、限定はしないが、特に、直交周波数分割多元接続（ＯＦＤＭＡ）通信システムにおいて用いられるサブキャリアのシグナリングに関連する。
【背景技術】
【０００２】
３ＧＰＰ（即ち、第３世代移動通信システムの将来の発展を見据えた、標準規格支援共同研究）において現在研究されているＥ−ＵＴＲＡ無線インターフェース用ダウンリンク及びアップリンクの多元接続方式として、ＯＦＤＭＡ及びシングルキャリアＦＤＭＡが選択されている。Ｅ−ＵＴＲＡシステム下で、効率的且つ迅速にリンクアダプテーションを可能にするために、且つ最大マルチユーザダイバーシティ利得を達成するために、複数のユーザデバイスと通信する基地局は、可能な限り多くの同時に存在するユーザの間で時間／周波数の全資源量（帯域幅に依存する）を割り当てる。各ユーザデバイスに割り当てられる資源は、そのユーザデバイスと基地局との間の瞬時的なチャネル条件に基づいており、ユーザデバイスによってモニタされる制御チャネルを通じて通知される。
【発明の概要】
【発明が解決しようとする課題】
【０００３】
多数のユーザデバイスをサポートするために、できる限り少ない時間／周波数資源を利用して資源をシグナリングする効率的な仕組みが必要である。
【課題を解決するための手段】
【０００４】
一態様によれば、本発明は、ブロックシーケンスに配列される複数のサブキャリアを用いる通信システムにおいて用いる資源割当てデータを確定する方法であって、該方法は、ユーザデバイスに対する上記サブキャリアの割当てとして、開始ブロックを規定するデータと、該開始ブロックからの連続ブロックの数を規定するデータとを含む割当てを受信し、第１のマッピングデータに従って、開始ブロックからの連続ブロックの数を規定するデータを第１のマッピング値にマッピングする第１のマッピングステップ、第２のマッピングデータに従って、開始ブロックを規定するデータ及び上記第１のマッピング値を、割当てを表す第２のマッピング値にマッピングする第２のマッピングステップを含む、方法を提供する。その後、通信に用いるためのサブキャリアを制御するために、割当てデータをユーザデバイスにシグナリングすることができる。
【０００５】
割り当て可能な連続ブロックの数は、割り当て可能な全連続ブロックの数の部分集合から選択することができる。たとえば、割り当て可能な連続ブロックの数は、
Ｐ＝２ｉ．３ｊ．５ｋ
によって規定される部分集合から選択することができる（ただし、ｉ、ｊ及びｋは０以上の整数値であり、Ｐは上記ブロックシーケンス内のブロックの総数Ｎ以下である）。
【０００６】
第１のマッピングデータは、第１のマッピング値がユーザデバイスに割り当てられる連続ブロックの数以下であるようなマッピングを規定できる。該マッピングは、上記連続ブロックの割り当てられた数と上記第１のマッピング値との間の一対一マッピングであることが好ましい。一実施の形態では、第１のマッピングデータは、連続ブロックの数を規定するデータによってアドレス指定されるルックアップテーブルを規定する。
【０００７】
第２のマッピングデータもルックアップテーブルを規定することができるが、１つ又は複数の式を規定することが好ましい。その式は、開始ブロック番号（number：数）又は第１のマッピング値のうちの一方と定数とを乗算して、その結果を、開始ブロック番号又は第１のマッピング値のうちの他方に加算することが好ましい。一実施の形態では、第２のマッピングデータは以下の式を規定している。
ｘ＝Ｍ＊ｉｎｄｅｘＰ＋Ｏ
（ただし、ｘは第２のマッピング値であり、Ｍは、システム帯域幅、各ブロック内のサブキャリアの数、及び隣接するサブキャリア間の周波数間隔に依存するシステム定数であり、ｉｎｄｅｘＰは第１のマッピング値であり、Ｏは開始ブロックの番号である）。
【０００８】
別の実施の形態では、第２のマッピングデータは以下の式を規定している。
ｘ＝Ｌ＊Ｏ＋ｉｎｄｅｘＰ
（ただし、ｘは第２のマッピング値であり、Ｌはシステム帯域幅、各ブロック内のサブキャリアの数、及び隣接するサブキャリア間の周波数間隔に依存するシステム定数であり、ｉｎｄｅｘＰは第１のマッピング値であり、Ｏは開始ブロックの番号である。）
【０００９】
そのシグナリングステップは、共通又は専用のシグナリングチャネルにおいて割当てデータをシグナリングすることができる。
【００１０】
本発明は、ブロックシーケンスに配列される複数のサブキャリアを用いる通信システムにおいて資源割当てを確定する方法であって、該方法は、開始ブロック及び該開始ブロックからの連続ブロックの数を符号化する資源割当てデータを受信し、第１のマッピングデータを用いて、受信した割当てデータを上記シーケンス内の開始ブロックにマッピングする第１のマッピングステップ、第２のマッピングデータを用いて、受信した割当てデータを開始ブロックからの連続ブロックの数を符号化した値にマッピングする第２のマッピングステップ、第３のマッピングデータを用いて、連続ブロックの数を符号化した値を、開始ブロックからの連続ブロックの数にマッピングする第３のマッピングステップ、並びに開始ブロック及び開始ブロックからの連続ブロックの数を用いて、割り当てられるサブキャリアを確定することを含む、方法も提供する。
【００１１】
一実施の形態では、第３のマッピングデータは、連続ブロックの数がその数を符号化した値よりも大きいような一対一マッピングを規定する。第３のマッピングデータは、連続ブロックの数を符号化した値によってアドレス指定されるルックアップテーブルを規定することができる。
【００１２】
一実施の形態では、第２のマッピングデータはルックアップテーブルを規定するが、好ましい一実施の形態では、１つ又は複数の式を規定する。たとえば、第１のマッピングステップは、以下の式によって、受信した割当てデータから、開始ブロックＯを求める。
Ｏ＝ｘ−ｆｌｏｏｒ（ｘ／Ｍ）・Ｍ
（ただし、ｘは受信した資源割当てデータであり、Ｍは、システム帯域幅、各ブロック内のサブキャリアの数、及び隣接するサブキャリア間の周波数間隔に依存するシステム定数であり、ｆｌｏｏｒ（）はフロア関数である。）代替的に、第１のマッピングステップは、以下の式によって、開始ブロックＯを求めることができる。
Ｏ＝ｆｌｏｏｒ（ｘ／Ｌ）
（ただし、ｘは受信した資源割当てデータであり、Ｌは、システム帯域幅、各ブロック内のサブキャリアの数、及び隣接するサブキャリア間の周波数間隔に依存するシステム定数であり、ｆｌｏｏｒ（）はフロア関数である。）
【００１３】
同様に、第２のマッピングデータはルックアップテーブルを規定することができるが、１つ又は複数の式を規定することが好ましい。たとえば、第２のマッピングステップは、以下の式によって、受信した割当てデータから、連続ブロックの数を符号化した値、ｉｎｄｅｘＰを求めることができる。
ｉｎｄｅｘＰ＝ｆｌｏｏｒ（ｘ／Ｍ）
（ただし、ｘは受信した資源割当てデータであり、Ｍは、システム帯域幅、各ブロック内のサブキャリアの数、及び隣接するサブキャリア間の周波数間隔に依存するシステム定数であり、ｆｌｏｏｒ（）はフロア関数である。）代替的に、第２のマッピングステップは、以下の式によって、連続ブロックの数を符号化する値、ｉｎｄｅｘＰを求めることができる。
ｉｎｄｅｘＰ＝ｘ−ｆｌｏｏｒ（ｘ／Ｌ）・Ｌ
（ただし、ｘは受信した資源割当てデータであり、Ｌは、システム帯域幅、各ブロック内のサブキャリアの数、及び隣接するサブキャリア間の周波数間隔に依存するシステム定数であり、ｆｌｏｏｒ（）はフロア関数である。）
【００１４】
その割当てデータは専用又は共通のシグナリングチャネルを介して受信することができる。
【００１５】
本発明は、ブロックシーケンスに配列される複数のサブキャリアを用いる通信システムにおいて資源割当てデータをシグナリングする方法であって、該方法は、ユーザデバイスに対する上記サブキャリアの割当てとして、開始ブロックを規定するデータと、該開始ブロックからの連続ブロックの数を規定するデータとを含む割当てを受信すること、所定のマッピングデータに従って、開始ブロックからの連続ブロックの数を規定するデータをマッピング値にマッピングすること、及び上記開始ブロックを規定する上記データ及び上記マッピング値に応じて、資源割当てデータをユーザデバイスにシグナリングすることを含む、方法も提供する。
【００１６】
本発明は、ブロックシーケンスに配列される複数のサブキャリアを用いる通信システムにおいて資源割当てを確定する方法であって、該方法は、所定のマッピングを通じて、開始ブロック、及び該開始ブロックからの連続ブロックの数に関連する値を規定する資源割当てデータを受信すること、所定のマッピングデータを用いて、値を上記連続ブロックの数にマッピングすること、及び開始ブロック及び上記連続ブロックの数を用いて、割り当てられるサブキャリアを確定することを含む、方法も提供する。
【００１７】
本発明は、開示される全ての方法に対して、対応する装置において実行するための対応するコンピュータプログラム又はコンピュータプログラム製品、装置自体（ユーザ装置、ノード又はその構成要素）、及び装置を更新する方法を提供する。
【００１８】
本発明のこれらの態様及び種々の他の態様は、一例としてのみ与えられており、且つ添付の図面を参照しながら説明される、以下の実施形態の詳細な説明から明らかになる。
【図面の簡単な説明】
【００１９】
【図１】電話網に接続される基地局と通信する複数のユーザ移動（セルラー）電話を含む通信システムを示す概略図である。
【図２】図１に示される基地局の主要構成要素を示すブロック図である。
【図３】図１に示される移動電話のうちの１つの移動電話の主要構成要素を示すブロック図である。
【図４】開始ブロック、及び開始ブロックからの連続ブロックの数によって連続する資源ブロックシーケンスを確定することができる方法を示す図である。
【発明を実施するための形態】
【００２０】
概説
図１は、移動（セルラー）通信システム１を概略的に示しており、そのシステムでは、移動電話３−０、３−１及び３−２のユーザが、基地局５及び電話網７を介して他のユーザ（図示せず）と通信することができる。この実施形態では、基地局５は、移動電話３に送信されるデータを複数のサブキャリア上に変調する直交周波数分割多元接続（ＯＦＤＭＡ）技法を使用する。各移動電話３には、その移動電話３に送信されるデータの量に応じて、異なるサブキャリアが割り当てられる。この実施形態では、基地局５は、基地局の帯域幅にわたって動作する移動電話３の均一な分布を維持するために、それぞれの移動電話３にデータを搬送するために用いられるサブキャリアも割り当てる。これらの目的を果たすために、基地局５は、移動電話３毎にサブキャリアを動的に割り当てて、各時点（サブフレーム）での割当てを、スケジュールされた各移動電話３にシグナリングする。
【００２１】
この実施形態では、基地局５は、２０ＭＨｚの帯域幅をサポートしており、そのうちの１８ＭＨｚがデータ伝送のために用いられる。
【００２２】
各移動電話３に、スケジューリングの決定結果について通知できるようにするために、各移動電話３は共有制御チャネルを用いる。この制御チャネル内でシグナリングされる情報は以下のものを含む。
ｉ）（ダウンリンク通信及びアップリンク通信の双方向通信用）資源ブロック割当て情報
ｉｉ）ダウンリンクのための資源ブロック復調情報
ｉｉｉ）アップリンクのための資源ブロック復調情報
ｉｖ）タイミング制御ビット
【００２３】
制御チャネルにおいて利用できるビット数は限られるので、最も少ないビット数で必要とされる情報を搬送するために、効率的な方法が必要とされる。本発明は、資源割当て情報を各移動電話３に効率的にシグナリングすることができる方法に関する。
【００２４】
基地局
図２は、この実施形態において用いられる基地局５の主要構成要素を示すブロック図である。図に示されるように、基地局５は、トランシーバ回路２１を備えており、トランシーバ回路は、（上記のサブキャリアを用いて）１つ又は複数のアンテナ２３を介して移動電話３に対し信号を送受信するように動作することができ、ネットワークインターフェース２５を介して電話網７に対し信号を送受信するように動作することができる。トランシーバ回路２１の動作は、メモリ２９に格納されるソフトウエアに従ってコントローラ２７によって制御される。そのソフトウエアは、中でも、オペレーティングシステム３１及び資源割当てモジュール３３を含む。資源割当てモジュール３３は、移動電話３との通信中にトランシーバ回路２１によって用いられるサブキャリアを割り当てるように動作する。図２に示されるように、資源割当てモジュール３３は、エンコーダモジュール３５も含み、エンコーダモジュールは、割当てを符号化して効率的な表現にし、その後、その表現はそれぞれの移動電話３に通信される。
【００２５】
移動電話
図３は、図１に示される移動電話３のそれぞれの主要構成要素を概略的に示す。図に示されるように、移動電話３は、１つ又は複数のアンテナ７３を介して基地局５に対し信号を送受信するように動作することができるトランシーバ回路７１を備える。図に示されるように、移動電話３はコントローラ７５も備えており、該コントローラ７５は、移動電話３の動作を制御し、且つトランシーバ回路７１に接続され、スピーカ７７、マイクロフォン７９、ディスプレイ８１及びキーパッド８３に接続される。コントローラ７５は、メモリ８５内に格納されるソフトウエア命令に従って動作する。図に示されるように、これらのソフトウエア命令は、中でも、オペレーティングシステム８７、及び通信モジュール８９を含む。この実施形態では、通信モジュール８９は、デコーダモジュール９１を含み、デコーダモジュールは、基地局５からシグナリングされる資源割当てデータを復号化し、現時点での移動電話のサブキャリア割当てを確定するように動作することができる。
【００２６】
理解するのを容易にするために、上記の説明は、基地局５及び移動電話３は、（資源割当てモジュール、エンコーダモジュール、通信モジュール及びデコーダモジュールのような）複数の個別のモジュールを有するものとして説明されている。たとえば、既存のシステムが本発明を実施するように変更されている特定のアプリケーションに対して、このようにこれらのモジュールが提供される場合があるが、他のアプリケーション、たとえば、最初から本発明の特徴を念頭において設計されたシステムでは、これらのモジュールは、オペレーティングシステム又はコード全体の中に構成することができるので、これらのモジュールは個別のエンティティとして区別することができない場合がある。
【００２７】
アップリンク資源割当て
本発明は特に、移動電話３から基地局５へのアップリンク通信のための資源の割当てに関する。現行のＥ−ＵＴＲＡプロポーザルによれば、アップリンクサブキャリアは１５ｋＨｚの周波数間隔（Δｆ）を有し、１２個の連続サブキャリアから成る集合にグループ分けされる。１つのスロット内の１２個の連続サブキャリアは、１つのアップリンク資源ブロック（ＲＢ）に対応する。それゆえ、開始ＲＢの番号（Ｏ）及び連続ＲＢの数（Ｐ）をシグナリングすることによって、１組の連続ＲＢを割り当てることができる。これは図４において示される。ただし、Ｏ＝１及びＰ＝３である。
【００２８】
ＲＡＮ＃４７ｂｉｓでは、割り当てることができる連続ＲＢの取り得る数（すなわち、Ｐがとることができる値）を、数２、３及び５の積として得ることができる数に限定することが合意された。詳細には、Ｐがとることができる取り得る数は、以下の式から得られる値に制限される。
Ｐ＝２ｉ．３ｊ．５ｋ
ただし、ｉ、ｊ及びｋは０以上の整数であり、Ｐはシステム帯域幅内で利用することができるＲＢの総数（Ｎ）以下である。
【００２９】
以下の表１は、２０ＭＨｚのシステム帯域幅の場合にＰが有することができる取り得る値を示す。表に示されるように、現在提案されている、サブキャリア間の周波数間隔及びＲＢ当たりのサブキャリアの数では、Ｐとして取り得る値は３４個だけになり、それらの値はそれぞれ、以下の表において、固有のインデックス値（ｉｎｄｅｘＰ）を付される。
【００３０】
【表１】
2010535434.tif 000003
【００３１】
本出願は、移動電話３に割り当てられている１組の連続ＲＢを規定する割当てデータを移動電話３にシグナリングすることができる３つの方法を記述している。
【００３２】
第１の符号化技法
エンコーダモジュール３５が上記の資源割当て情報を符号化するために用いることができる第１の符号化技法は、移動電話３にシグナリングされるＯ及びｉｎｄｅｘＰの値を直接用いることである。したがって、図４に示される割当ての場合、エンコーダモジュール３５は、Ｐの値（この場合にはＰ＝３）を用いて、上記の表をアドレス指定し、対応するｉｎｄｅｘＰの値（この場合には、ｉｎｄｅｘＰ＝２）を求める。その後、エンコーダモジュールジュール３５は、値Ｏ＝１及びｉｎｄｅｘＰ＝２を出力し、その後、それらの値は、資源割当てモジュール３３によって移動電話３にシグナリングされる。
【００３３】
シグナリングされた割当てデータを復号化するために、移動電話３内のデコーダモジュール９１は、上記の表の格納されているコピーと、ｉｎｄｅｘＰのシグナリングされた値とを用いて、その移動電話３に割り当てられた連続ＲＢの対応する数（Ｐ）を求める。その後、デコーダモジュールは、Ｏのシグナリングされた値と、こうして求められたＰの値とを用いて、現時点でのその割当てを求める。
【００３４】
第２の符号化技法
第２の符号化技法では、エンコーダモジュール３５は、以下のように、Ｏ及びｉｎｄｅｘＰの値から、整数値（ｘ）を生成する。
ｘ＝Ｍ＊ｉｎｄｅｘＰ＋Ｏ
ただし、システム帯域幅＝｛５、１０、１５、２０ＭＨｚ｝の場合にそれぞれ、Ｍ＝｛２５、５０、７５、１００｝である。
【００３５】
その後、この整数値は移動電話３にシグナリングされ、移動電話３は、そのデコーダモジュール９１を用いて、以下のように、ｉｎｄｅｘＰ及びＯの値を得る。
ｉｎｄｅｘＰ＝ｆｌｏｏｒ（ｘ／Ｍ）
ただし、「ｆｌｏｏｒ」は既知のフロア関数であり、括弧内の計算から得られる値よりも小さい整数のうちの最も大きな整数を与える。
Ｏ＝ｘ−ｉｎｄｅｘＰ＊Ｍ＝ｘ−ｆｌｏｏｒ（ｘ／Ｍ）・Ｍ
【００３６】
その後、デコーダモジュール９１は、第１の符号化技法の場合と同様な手法で求められたＯ及びｉｎｄｅｘＰの値を用いて、移動電話の現在の資源割当てを求める。
【００３７】
第３の符号化技法
第３の符号化技法では、エンコーダモジュール３５は、以下のように、Ｏ及びｉｎｄｅｘＰの値から、整数値（ｘ）を生成する。
ｘ＝Ｌ＊Ｏ＋ｉｎｄｅｘＰ
ただし、システム帯域幅＝｛５、１０、１５、２０ＭＨｚ｝の場合にそれぞれ、Ｌ＝｛１６、２４、２９、３４｝である。
【００３８】
その後、この整数値は移動電話３にシグナリングされ、移動電話は、そのデコーダモジュール９１を用いて、以下のように、ｉｎｄｅｘＰ及びＯの値を得る。
Ｏ＝ｆｌｏｏｒ（ｘ／Ｌ）
ｉｎｄｅｘＰ＝ｘ−Ｏ＊Ｌ＝ｘ−ｆｌｏｏｒ（ｘ／Ｌ）・Ｌ
【００３９】
その後、デコーダモジュール９１は、第１の符号化技法の場合と同様な手法で求められたＯ及びｉｎｄｅｘＰの値を用いて、移動電話の現在の資源割当てを求める。
【００４０】
異なる帯域幅を有するシステムの場合に資源割当てをシグナリングするために必要とされるビット数が以下の表２に示される。
【００４１】
【表２】
2010535434.tif 000004
【００４２】
上記の表から明らかであるように、２０ＭＨｚのシステム帯域幅の場合、第２の符号化技法及び第３の符号化技法は、第１の技法及び既に提案されている技法（本出願人の先願の英国特許出願公開第０６０５５８１．８号を参照されたい）と比べて、１ビットの節約を実現する。
【００４３】
総括
Ｅ−ＵＴＲＡアップリンク伝送のための資源ブロック割当てシグナリングのためにいくつかの効率的な技法を提案してきた。提案された技法は、アップリンクのためのスケジューリング割当ての制限を考慮に入れており、その制限は、ＲＢ数２、３及び５の積として書くことができるＤＦＴプレコーディングサイズに対応する。第２の符号化技法及び第３の符号化技法で果たされる節約に基づいて、これらの技法は、資源割当てシグナリングのために用いられる現時点で好ましい技法である。
【００４４】
変更形態及び代替形態
複数の詳細な実施形態がこれまでに説明されてきた。当業者には理解されるように、本明細書において具現される本発明から得られる効果を維持しながら、上記の実施形態に対する複数の変更形態及び代替形態を実施できる。例示にすぎないが、ここで、いくつかのこれらの代替形態及び変更形態を説明する。
【００４５】
上記の実施形態において、上記のシグナリング技法を利用した移動電話に基づく通信システムが説明された。当業者には理解されるように、そのような資源割当てデータのシグナリングは、複数のサブキャリアを用いる任意の通信システムにおいて利用することができる。詳細には、上記のシグナリング技法は、データを搬送するために電磁信号又は音響信号のいずれかを用いる有線通信又は無線通信において用いることができる。一般的な場合、基地局は、複数の異なるユーザデバイスと通信する通信ノードによって置き換えられる。ユーザデバイスは、たとえば、個人情報端末、ラップトップコンピュータ、ウエブブラウザ等を含むことができる。
【００４６】
上記の実施形態では、基地局は、２０ＭＨｚの動作帯域幅を有するものと仮定され、各資源ブロックは１２個のサブキャリアを含んでいた。当業者には理解されるように、本発明は、この特定の帯域幅サイズ若しくはＲＢサイズに、又は上記のサブキャリアの周波数間隔に限定されない。
【００４７】
上記の第２の符号化技法及び第３の符号化技法では、割り当てられるＲＢと、その割当てにおいて開始ＲＢと連続ＲＢの数との組み合わせを表す固有番号との間のマッピングが規定された。当業者には理解されるように、このマッピングは、式を用いるか、又はルックアップテーブルを用いる等の任意の適当な方法において規定されてもよい。基地局５及び各移動電話３の双方においてルックアップテーブルを格納することが不要になるので、式を使用することが好ましい。簡単であることから、上記の式が好ましいが、このマッピングを規定するために、他の式を用いてもよい。
【００４８】
上記の実施形態では、ユーザデバイスに割り当てられる連続ブロックの数は、上記で与えられた第１のルックアップテーブルを用いてインデックス値にマッピングされた。当業者には理解されるように、代わりに、このマッピングは、式によって規定されてもよい。
【００４９】
上記の実施形態では、複数のソフトウエアモジュールが説明された。当業者には理解されるように、それらのソフトウエアモジュールはコンパイルされた形で又はコンパイルされない形で与えられる場合があり、コンピュータネットワーク上の信号として又は記録媒体において、基地局に又は移動電話に供給される場合がある。さらに、このソフトウエアの一部又は全てによって実行される機能は、１つ又は複数の専用のハードウエア回路を用いて実行されてもよい。しかしながら、それらの機能を更新するために、基地局５及び移動電話３を更新することを容易にするので、ソフトウエアモジュールを使用することが好ましい。
【００５０】
以下は、本発明を現在提案されている３ＧＰＰ  ＬＴＥ標準規格において実施することができる方法の詳細な説明である。種々の特徴が不可欠であるか又は必要であるものとして説明されるが、これは、たとえば、その標準規格によって課せられる他の要件に起因して、提案されている３ＧＰＰ  ＬＴＥ標準規格の場合にのみ当てはまることがある。それゆえ、ここで述べることは、本発明を限定するものとは決して解釈されるべきではない。
【００５１】
緒言
スケジュールされるＵＥ毎にダウンリンク及びアップリンクの双方の資源割当て情報を搬送するために、ダウンリンクＬ１／Ｌ２制御シグナリングが必要とされる。
【００５２】
制御チャネルにおいて利用できるビット数は限られるので、資源割当てを決定するためにＮｏｄｅＢのスケジューラに如何なる制限も加えることなく、最も少ないビット数で必要とされる情報を伝送するために、効率的な方法が必要とされる。
【００５３】
本明細書において、本発明者らは、局所ＦＤＭＡアップリンク資源ブロック（ＲＢ）割当てをシグナリングするための効率的な方法を提案する。
【００５４】
アップリンクＤＦＴプレコーディングに基づく資源割当て
ＲＡＮ１＃４７ｂｉｓにおいて、アップリンクのために取り得るスケジューリング割当てを、ＲＢ数２、３及び５の積として書くことができるＤＦＴプレコーディングサイズに制限することが合意された。その場合には、全ての取り得る連続資源割当てが必要であるとは限らない。本明細書の最終ページに添付される表４は、２０ＭＨｚの場合の取り得る資源割当てを示す。取り得る割当ての数が低減され、２０ＭＨｚの場合、取り得る割当てが３４個しか存在しないことが明らかである。
【００５５】
ｅＮＢがＵＥに資源割当てをシグナリングするために、ｅＮＢは、表４から連続ＲＢの数を、及び開始位置も見つける必要がある。
【００５６】
２つのパラメータ、ｉｎｄｅｘＰ及びＯを規定する。ただし、ｉｎｄｅｘＰは連続ＲＢの選択される数に対応するインデックスであり、Ｏは開始資源ブロックのインデックスである。
方法１：Ｏ及びｉｎｄｅｘＰを別個にシグナリングする。
方法２：以下のように導出される１つの整数値ｘをシグナリングする。
エンコーダ：ｘ＝Ｎ＊ｉｎｄｅｘＰ＋Ｏ
デコーダ  ：ｉｎｄｅｘＰ＝ｆｌｏｏｒ（ｘ／Ｎ）
Ｏ＝ｘ−ｉｎｄｅｘＰ＊Ｎ
ただし、帯域幅＝｛５、１０、１５、２０ＭＨｚ｝の場合にＮ＝｛２５、５０、７５、１００｝
方法３：以下のように導出される１つの整数値ｘをシグナリングする。
エンコーダ：ｘ＝Ｍ＊Ｏ＋ｉｎｄｅｘＰ
デコーダ  ：Ｏ＝ｆｌｏｏｒ（ｘ／Ｍ）
ｉｎｄｅｘＰ＝ｘ−Ｏ＊Ｍ
ただし、帯域幅＝｛５、１０、１５、２０ＭＨｚ｝の場合にＭ＝｛１６、２４、２９、３４｝
方法４：「ツリー法」［２］を用いて、Ｏ及びＰ（ｉｎｄｅｘＰではない）から導出される１つの整数値ｘをシグナリングする。
【００５７】
各方法に必要とされるビット数が以下の表３に要約される。
【００５８】
【表３】
2010535434.tif 000005
【００５９】
結論
本明細書において、本発明者らは、Ｅ−ＵＴＲＡアップリンク伝送のための資源ブロック割当てシグナリングのための効率的な方法を提案してきた。提案される方法は、アップリンクのためのスケジューリング割当ての制限を考慮に入れており、その制限は、ＲＢ数２、３及び５の積として書くことができるＤＦＴプレコーディングサイズに対応する。これに基づくと、ＥＵＴＲＡのためのアップリンクにおける資源割当てシグナリングのために、方法２又は３が少ないビット数を与える。それゆえ、本発明者らは、以下のことを提案する。
・Ｅ−ＵＴＲＡアップリンク伝送のための局所資源ブロック割当てをシグナリングするために、方法２又は３が用いられるべきである。
【産業上の利用可能性】
【００６０】
本発明は、移動電話に基づく通信システムに適用できるだけでなく、ＯＦＤＭＡ及びサブキャリアを使用する通信システムにも適用することができる。
【００６１】
本出願は、２００７年８月２日に出願の英国特許出願第０７１５０５７．６号に基づいており、その特許出願からの優先権の利益を主張し、その特許出願の開示は参照によりその全体が本明細書に援用される。
【００６２】
【表４】
2010535434.tif 000006
【図１】
2010535434.tif 000007
【図２】
2010535434.tif 000008
【図３】
2010535434.tif 000009
【図４】
2010535434.tif 000010
【国際調査報告】
2010535434.tif 000011
2010535434.tif 000012
2010535434.tif 000013